(57)【要約】【課題】ウェブサイトを提供して商品・役務の宣伝を行うとともに、掲載した商品・役務に所定の条件が満たされたときに宣伝の掲載を終了する、自社のホームページを持たないような小規模の企業や零細な商店などが利用するのに好適な商品宣伝システムの提供。【解決手段】サーバ１２が、契約店１３に関する契約店情報３２と、契約店１３が掲載を希望する商品・役務に関する掲載商品情報３３とに基づいて、ウェブサイト１２ａに表示するページデータを作成して、契約店１３が掲載を希望する商品・役務に関する情報を公開するとともに、サーバ１２の制御手段２１が、掲載期間の満了、または予め定めた少なくとも一部の掲載商品の売り切れを検出した時に、対応する契約店１３に関する全ての掲載商品情報３３を、ページデータ３１から削除する商品宣伝システム１１。【選択図】図１
2007140812.tif 000002
【特許請求の範囲】
【請求項１】
契約店に関する契約店情報と契約店が掲載を希望する商品・役務に関する掲載商品情報を記憶する記憶手段と、
通信回線を通じて通信を行う通信手段と、
これらを制御する制御手段とを有するサーバを備え、
上記記憶手段の掲載商品情報が、掲載商品をウェブサイトに掲載する掲載期間および／または予め定めた少なくとも一部の掲載商品の在庫数を含むとともに、
上記制御手段が、掲載期間が満了したとき、または予め定めた少なくとも一部の掲載商品の在庫数が規定の変化をしたときに、対応する契約店に関する少なくとも全ての掲載商品情報を、ウェブサイトに表示するページデータから削除する
商品宣伝システム。
【請求項２】
契約店に関する契約店情報と契約店が掲載を希望する商品・役務に関する掲載商品情報を記憶する記憶手段と、
通信回線を通じて通信を行う通信手段と、
これらを制御する制御手段とを有するサーバを備え、
上記記憶手段の掲載商品情報が、掲載商品をウェブサイトに掲載する掲載期間および予め定めた少なくとも一部の掲載商品の在庫数を含むとともに、
上記制御手段が、掲載期間が満了したとき、または予め定めた少なくとも一部の掲載商品が売り切れたときに、対応する契約店に関する少なくとも全ての掲載商品情報を、ウェブサイトに表示するページデータから削除する
商品宣伝システム。
【請求項３】
前記予め定めた少なくとも一部の掲載商品が、ポイントと交換可能な商品である
請求項１または請求項２に記載の商品宣伝システム。
【請求項４】
記憶手段に記憶された契約店に関する契約店情報と、契約店が掲載を希望する商品・役務に関する掲載商品情報と、該掲載商品情報に含まれる、掲載商品をウェブサイトに掲載する掲載期間および／または予め定めた少なくとも一部の掲載商品の在庫数とに基づいて、掲載期間が満了したか、または予め定めた少なくとも一部の商品の在庫数が規定の変化をしたか否かを判定する判定ステップと、
該判定ステップでの判定結果が、掲載期間が満了したこと、または予め定めた少なくとも一部の商品の在庫数が規定の変化をしたことを判定したものであるときに、対応する契約店に関する少なくとも全ての掲載商品情報をウェブサイトに表示するページデータから削除する削除ステップとを有する
商品宣伝方法。
【請求項５】
記憶手段に記憶された契約店に関する契約店情報と、契約店が掲載を希望する商品・役務に関する掲載商品情報と、該掲載商品情報に含まれる、掲載商品をウェブサイトに掲載する掲載期間および／または予め定めた少なくとも一部の掲載商品の在庫数とに基づいて、掲載期間が満了したか、または予め定めた少なくとも一部の商品の在庫数が規定の変化をしたか否かを判定する判定ステップと、
該判定ステップでの判定結果が、掲載期間が満了したこと、または予め定めた少なくとも一部の商品の在庫数が規定の変化をしたことを判定したものであるときに、対応する契約店に関する少なくとも全ての掲載商品情報をウェブサイトに表示するページデータから削除する削除ステップとを有する
商品宣伝プログラム。
【請求項６】
前記請求項１から請求項３のうちのいずれか一項に記載された商品宣伝システムにおけるサーバの記憶手段に、会員の識別情報と、商品取引に使用されるポイントの保有情報とを有する会員情報を記憶し、
上記会員の要求に基づき前記通信手段を介して入力された掲載商品の購入決定信号を受信したときに、上記ポイントを利用した決済を行う決済手段を有する
商品販売促進システム。
【請求項７】
前記サーバの記憶手段に、発行されたポイント識別記号に関する発行済みポイント識別情報を記憶するとともに、
上記ポイント識別記号が前記会員の識別情報とともに入力されたときに、ポイント識別記号をポイントに転換し、前記会員情報におけるポイントの保有情報に登録するポイント登録手段を有した
請求項６に記載の商品販売促進システム。
【請求項８】
前記発行済みポイント識別情報に、発行済みのポイント識別記号のポイント識別記号とその有効期限を記憶するとともに、
ポイント識別記号が前記会員の識別情報とともに入力されたときに、その発行済みのポイント識別記号および有効期限を読み出して不正の有無を判定し、不正なき場合に前記ポイント登録手段によるポイントの登録を行わせる不正判定手段を有した
請求項７に記載の商品販売促進システム。
【請求項９】
前記ポイント識別記号が、紙片からなるカードに記載されたものである
請求項７または請求項８に記載の商品販売促進システム。
【請求項１０】
前記サーバの記憶手段に、オークションに出品された商品、出品者、入札期間、および最低落札価格を含むオークションに必要なオークション商品情報を記憶するとともに、
入札を受け付ける入札受付手段と、
予め定められた条件を満たしたときにオークションを終了し、前記ポイントによる決済を行わせるオークション管理手段を有した
請求項６から請求項９のうちのいずれか一項に記載の商品販売促進システム。
【発明の詳細な説明】
【技術分野】
【０００１】
この発明は、商品・役務の宣伝広告を行うための商品宣伝システムと、これを用いた商品販売促進システムに関し、より詳しくは、小規模の企業や零細な商店などが利用するのに好適な商品宣伝システムと商品販売促進システムに関するものである。
【背景技術】
【０００２】
自ら提供する商品・役務を宣伝する方法としては、テレビやラジオ、新聞、雑誌等のメディアを利用するほか、限られた地域内では新聞の折り込みチラシを利用する方法がある。また、より広い地域に宣伝を行えるようにする方法として、インターネットを利用したバナー広告がある。
【０００３】
バナー広告の効果は、どれだけ多くのユーザに広告を見せることができるか（インプレッション）、また何人のユーザが実際に自社のウェブサイトにジャンプしてきたかで測れるといわれている。
【０００４】
しかし、効果が少ない割に費用がかかるという問題点がある。このため、成果報酬型などのシステムが提案されている。成果報酬型は、バナーがクリックされ自社のウェブサイトにジャンプされたのち、何らかのアクション、たとえば商品の購入、会員登録、資料請求などがあった場合に、その成果に応じて広告費用が発生するというものであって、広告主にとっては費用の削減が図れるとされている。
【０００５】
とはいうものの、広告効果の良否は、上述のようにインプレッションが大きな要素であって、サイトの集客力に左右されることに変わりはない。
【０００６】
この問題を解決できるものとして、成果報酬型の広告配信システムと、オンラインショッピングにおいて顧客との関係性強化を図るポイント還元システムとを統合して、集客力の極大化を図るというシステムが提案されている（下記特許文献１参照）。このシステムでは、商用サイトを訪れて商品購入などの行為をした顧客に対してはその顧客行為実績に対してポイントを付与することで、利益還元を行って集客力を増すことができる。一方、商用サイトの広告主は、広告掲載サイトに対して顧客の購入等の顧客行為実績に対して対価を支払えばよく、その広告費用負担を実質的に削減できるというものである。
【０００７】
しかし、このシステムでも、成果が上がれば上がるほど費用がかかるのであって、上限がなく、広告費用の見通しが立てられない。しかも、その成果とみなされるアクションが、商品購入以外の、無料の会員登録や資料請求ばかりであれば、実際の売上には直結しない。
【０００８】
また、そもそも自社のウェブサイトを持たない企業や零細な商店などでは、そのようなシステムを利用できない。
【０００９】
【特許文献１】特許第３４４００４０号公報
【発明の開示】
【発明が解決しようとする課題】
【００１０】
そこで、この発明は、ウェブサイトを提供して商品・役務の宣伝を行うとともに、実際に商品が売れることが広告効果の最も有益な一つのあらわれであることに着目して、掲載した商品・役務に所定の条件が満たされたときに宣伝の掲載を終了するという新規な商品宣伝システムを提供することを主たる課題とする。
【００１１】
また、このような商品宣伝システムを利用して、商品・役務の販売をより廉価に促進できる商品販売促進システムの提供も課題とする。
【課題を解決するための手段】
【００１２】
そのための手段は、契約店に関する契約店情報と契約店が掲載を希望する商品に関する掲載商品情報を記憶する記憶手段と、通信回線を通じて通信を行う通信手段と、これらを制御する制御手段とを有するサーバを備え、上記記憶手段の掲載商品情報が、掲載商品をウェブサイトに掲載する掲載期間および／または予め定めた少なくとも一部の掲載商品の在庫数を含むとともに、上記制御手段が、掲載期間が満了したとき、または予め定めた少なくとも一部の掲載商品の在庫数が規定の変化をしたときに、対応する契約店に関する少なくとも全ての掲載商品情報を、ウェブサイトに表示するページデータから削除する商品宣伝システムである。
【００１３】
上記規定の変化とは、たとえば、在庫数が変化しないまま所定期間が経過した（所定期間かけても全く売れない）場合、単位期間当たりの在庫数変化が所定の変動率より上がった（急激に売れ行きが伸びた）場合、在庫数が０になった（売り切れた）場合などの適宜に定められる条件をさす。
【００１４】
すなわち、記憶手段に記憶された契約店情報と掲載商品情報に基づいて、ウェブサイトに表示されるページデータが得られる。ページデータは、ユーザ端末からの要求に応じ通信手段を介して返信され、ユーザ端末に表示される。
【００１５】
このような情況のもと、掲載商品をウェブサイトに掲載する掲載期間が満了したとき、または予め定めた少なくとも一部の掲載商品の在庫数が規定の変化をしたときに、制御手段が、対応する契約店に関する全ての掲載商品情報、あるいはその契約店に関する全ての掲載商品情報と契約店情報をページデータから削除して公開を終了する。この結果、ユーザ端末からは少なくとも掲載商品は見えなくなり、広告宣伝ができない状態となる。
【００１６】
つまり、掲載期間および／または売れ行きに基づく所定の条件が満たされたときに掲載が自動的に終了する、一回完結型の商品宣伝システムである。
【００１７】
契約店にとっては、一方的に商品の掲載が終了されるわけであるが、期間が満了して掲載が終了した場合でも、商品の売れ行きがよくて掲載が終了した場合でも、予定した一定の費用の範囲内で広告宣伝ができたと納得できる。そのうえ、その広告宣伝に想定外の費用がかからずに済む。
【００１８】
また、商品が売れたことを条件に掲載が終了するように設定された場合には、広告効果を目で見える形で実感できるとともに、たとえば在庫数を掲載商品情報とともに表示できるようにすることで、ユーザの購入意欲を増進させたりする効果が得られる。
【００１９】
しかも、掲載終了は少なくとも全ての掲載商品を削除して行われるので、契約店にとっては掲載終了の条件に応じて、掲載商品の選定や、価格等の販売条件の設定に工夫を凝らすことで、契約店の業種や客層等のタイプに応じて上手に宣伝することができる。もし売れ行きが良くて十分な宣伝効果が認められた場合や、新商品を発売した場合などには、その都度掲載商品を登録することで、宣伝が行える。換言すれば、原則的に一回完結型の宣伝システムであるので、必要に応じて所望の条件で活用できる。
【００２０】
一方、ユーザにとっては、契約店の商品が常に掲載されているわけではなく、また全ての掲載商品を削除して掲載終了がなされるので、いつも新しさがあり、お得な商品、いい商品が出ていないかをこまめにチェックするように気持ちが働く。このため、アクセスが促され、ウェブサイトにとっては高いインプレッションが得られる。この結果、システムが活性化され、契約店にとっても広告効果の増大が期待できる。
【００２１】
さらに、ウェブサイトを提供するので、独自のウェブサイトを保有しない企業などでも利用することができ、特別の費用がかからない。そのうえ、同一のウェブサイトに複数の契約店が軒を並べることになるので、よい意味で契約店同士の競争が行え、より良い商品の提供等を促すことができるとともに、ユーザにとっても、よりよい商品をより安く購入できるのなどのメリットが生まれる。
【００２２】
別の手段は、契約店に関する契約店情報と契約店が掲載を希望する商品に関する掲載商品情報を記憶する記憶手段と、通信回線を通じて通信を行う通信手段と、これらを制御する制御手段とを有するサーバを備え、上記記憶手段の掲載商品情報が、掲載商品をウェブサイトに掲載する掲載期間および予め定めた少なくとも一部の掲載商品の在庫数を含むとともに、上記制御手段が、掲載期間が満了したとき、または予め定めた少なくとも一部の掲載商品が売り切れたときに、対応する契約店に関する少なくとも全ての掲載商品情報を、ウェブサイトに表示するページデータから削除する商品宣伝システムである。
【００２３】
すなわち、記憶手段に記憶された契約店情報と掲載商品情報に基づいて、ウェブサイトに表示されるページデータが得られる。ページデータは、ユーザ端末からの要求に応じ通信手段を介して返信され、ユーザ端末に表示される。
【００２４】
このような情況のもと、掲載商品をウェブサイトに掲載する掲載期間の満了、または予め定めた少なくとも一部の掲載商品の売り切れ、いずれか一方の条件が先に満たされたときに、制御手段が、対応する契約店に関する全ての掲載商品情報、あるいはその契約店に関する全ての掲載商品情報と契約店情報をページデータから削除して公開を終了する。この結果、ユーザ端末からは少なくとも掲載商品は見えなくなり、広告宣伝ができない状態となる。
【００２５】
つまり、掲載期間の満了か、少なくとも一部の掲載商品の売り切れが起こったときに掲載が自動的に終了する、一回完結型の商品宣伝システムである。
【００２６】
契約店にとっては、一方的に商品の掲載が終了されるわけであるが、期間が満了して掲載が終了した場合でも、商品が売り切れて掲載が終了した場合でも、予定した一定の費用の範囲内で広告宣伝ができたと納得できる。そのうえ、その広告宣伝に想定外の費用がかからずに済む。
【００２７】
また、商品が売り切れた場合でも掲載が終了するので、広告効果を目で見える形で実感できるとともに、自らに有利な宣伝を行えるよう工夫するインセンティブが得られる。さらに、たとえば在庫数を掲載商品情報とともに表示できるようにすることで、ユーザの購入意欲を増進させたりする効果が得られる。
【００２８】
しかも、掲載終了は少なくとも全ての掲載商品を削除して行われるので、契約店にとっては掲載終了の条件に応じて、掲載商品の選定や、価格等の販売条件の設定に工夫を凝らすことで、契約店の業種や客層等のタイプに応じて上手に宣伝することができる。もし売れ行きが良くて十分な宣伝効果が認められた場合や、新商品を発売した場合などには、その都度掲載商品を登録することで、宣伝が行える。換言すれば、原則的に一回完結型の宣伝システムであるので、必要に応じて所望の条件で活用できる。
【００２９】
一方、ユーザにとっては、契約店の商品が常に掲載されているわけではなく、また全ての掲載商品を削除して掲載終了がなされるので、いつも新しさがあり、お得な商品、いい商品が出ていないかをこまめにチェックするように気持ちが働く。このため、アクセスが促され、ウェブサイトにとっては高いインプレッションが得られる。この結果、システムが活性化され、契約店にとっても広告効果の増大が期待できる。
【００３０】
さらに、ウェブサイトを提供するので、独自のウェブサイトを保有しない企業などでも利用することができ、特別の費用がかからない。そのうえ、同一のウェブサイトに複数の契約店が軒を並べることになるので、よい意味で契約店同士の競争が行え、より良い商品の提供等を促すことができるとともに、ユーザにとっても、よりよい商品をより安く購入できるのなどのメリットが生まれる。
【００３１】
なお、上記各商品宣伝システムにおいて、上記予め定めた少なくとも一部の掲載商品が、ポイントと交換可能な商品であるとよい。  
ポイントと交換可能な商品とは、ポイントのみで購入できる商品のことであり、ポイントとは、何らかの方法で金銭的価値が付与された仮想通貨のようなものである。
【００３２】
商品を入手するのに現金等が不要となるので、ユーザにお徳感、有利感を与えることができる。このため、インプレッションを高められ、高い広告効果を期待できる。
【００３３】
別の手段は、記憶手段に記憶された契約店に関する契約店情報と、契約店が掲載を希望する商品に関する掲載商品情報と、該掲載商品情報に含まれる、掲載商品をウェブサイトに掲載する掲載期間および／または予め定めた少なくとも一部の掲載商品の在庫数とに基づいて、掲載期間が満了したか、または予め定めた少なくとも一部の商品の在庫数が規定の変化をしたか否かを判定する判定ステップと、該判定ステップでの判定結果が、掲載期間が満了したこと、または予め定めた少なくとも一部の商品の在庫数が規定の変化をしたことを判定したものであるときに、対応する契約店に関する少なくとも全ての掲載商品情報を、ウェブサイトに表示するページデータから削除する削除ステップとを有する商品宣伝方法である。
【００３４】
上記規定の変化とは、たとえば、在庫数が変化しないまま所定期間が経過した（所定期間かけても全く売れない）場合、単位期間当たりの在庫数変化が所定の変動率より上がった（急激に売れ行きが伸びた）場合、在庫数が０になった（売り切れた）場合などの適宜に定められる条件をさす。
【００３５】
すなわち、記憶手段に記憶された契約店情報と掲載商品情報に基づいて、ウェブサイトに表示されるページデータが得られ、このような情況のもと、上記判定ステップが、掲載期間の満了を判定したとき、または予め定めた少なくとも一部の商品の在庫数について規定の変化を判定したときに、後段の削除ステップが、対応する契約店に関する全ての掲載商品情報、あるいはその契約店の全ての掲載商品情報と契約店情報を、ウェブサイトに表示するページデータから削除する。この結果、少なくとも掲載商品はユーザ端末から見えなくなり、広告宣伝ができない状態となる。
【００３６】
つまり、掲載期間および／または売れ行きに基づく所定の条件が満たされたときに掲載が自動的に終了する。
【００３７】
契約店にとっては、一方的に商品の掲載が終了されるわけであるが、期間が満了して掲載が終了した場合でも、商品の売れ行きがよくて掲載が終了した場合でも、予定した一定の費用の範囲内で広告宣伝ができたと納得できる。そのうえ、その広告宣伝に想定外の費用がかからずに済む。
【００３８】
また、商品が売れたことを条件に掲載が終了するように設定された場合には、広告効果を目で見える形で実感できるとともに、たとえば在庫数を掲載商品情報とともに表示できるようにすることで、ユーザの購入意欲を増進させたりする効果が得られる。
【００３９】
しかも、掲載終了は少なくとも全ての掲載商品を削除して行われるので、契約店にとっては掲載終了の条件に応じて、掲載商品の選定や、価格等の販売条件の設定に工夫を凝らすことで、契約店の業種や客層等のタイプに応じて上手に宣伝することができる。もし売れ行きが良くて十分な宣伝効果が認められた場合や、新商品を発売した場合などには、その都度掲載商品を登録することで、宣伝が行える。換言すれば、原則的に一回完結型の宣伝方法であるので、必要に応じて所望の条件で活用できる。
【００４０】
一方、ユーザにとっては、契約店の商品が常に掲載されているわけではなく、また全ての掲載商品を削除して掲載終了がなされるので、いつも新しさがあり、お得な商品、いい商品が出ていないかをこまめにチェックするように気持ちが働く。このため、アクセスが促され、ウェブサイトにとっては高いインプレッションが得られる。この結果、システムが活性化され、契約店にとっても広告効果の増大が期待できる。
【００４１】
さらに、ウェブサイトを提供するので、独自のウェブサイトを保有しない企業などでも利用することができ、特別の費用がかからない。そのうえ、同一のウェブサイトに複数の契約店が軒を並べることになるので、よい意味で契約店同士の競争が行え、より良い商品の提供等を促すことができるとともに、ユーザにとっても、よりよい商品をより安く購入できるのなどのメリットが生まれる。
【００４２】
別の手段は、記憶手段に記憶された契約店に関する契約店情報と、契約店が掲載を希望する商品に関する掲載商品情報と、該掲載商品情報に含まれる、掲載商品をウェブサイトに掲載する掲載期間および／または予め定めた少なくとも一部の掲載商品の在庫数とに基づいて、掲載期間が満了したか、または予め定めた少なくとも一部の商品の在庫数が規定の変化をしたか否かを判定する判定ステップと、該判定ステップでの判定結果が、掲載期間が満了したこと、または予め定めた少なくとも一部の商品の在庫数が規定の変化をしたことを判定したものであるときに、対応する契約店に関する少なくとも全ての掲載商品情報をウェブサイトに表示するページデータから削除する削除ステップとを有する商品宣伝プログラムである。
【００４３】
上記規定の変化とは、たとえば、在庫数が変化しないまま所定期間が経過した（所定期間かけても全く売れない）場合、単位期間当たりの在庫数変化が所定の変動率より上がった（急激に売れ行きが伸びた）場合、在庫数が０になった（売り切れた）場合などの適宜に定められる条件をさす。
【００４４】
この商品宣伝プログラムによれば、記憶手段に記憶された契約店情報と掲載商品情報に基づいて、ウェブサイトに表示されるページデータが得られ、このような情況のもと、上記判定ステップが、掲載期間の満了を判定したとき、または予め定めた少なくとも一部の商品の在庫数について規定の変化を判定したときに、後段の削除ステップが、対応する契約店に関する全ての掲載商品情報、あるいはその契約店の全ての掲載商品情報と契約店情報を、ウェブサイトに表示するページデータから削除する。この結果、少なくとも掲載商品はユーザ端末から見えなくなり、広告宣伝ができない状態となる。
【００４５】
つまり、掲載期間および／または売れ行きに基づく所定の条件が満たされたときに掲載が自動的に終了する。
【００４６】
契約店にとっては、一方的に商品の掲載が終了されるわけであるが、期間が満了して掲載が終了した場合でも、商品の売れ行きがよくて掲載が終了した場合でも、予定した一定の費用の範囲内で広告宣伝ができたと納得できる。そのうえ、その広告宣伝に想定外の費用がかからずに済む。
【００４７】
また、商品が売れたことを条件に掲載が終了するように設定された場合には、広告効果を目で見える形で実感できるとともに、たとえば在庫数を掲載商品情報とともに表示できるようにすることで、ユーザの購入意欲を増進させたりする効果が得られる。
【００４８】
しかも、掲載終了は少なくとも全ての掲載商品を削除して行われるので、契約店にとっては掲載終了の条件に応じて、掲載商品の選定や、価格等の販売条件の設定に工夫を凝らすことで、契約店の業種や客層等のタイプに応じて上手に宣伝することができる。もし売れ行きが良くて十分な宣伝効果が認められた場合や、新商品を発売した場合などには、その都度掲載商品を登録することで、宣伝が行える。換言すれば、原則的に一回完結型の宣伝ができるので、必要に応じて所望の条件で活用できる。
【００４９】
一方、ユーザにとっては、契約店の商品が常に掲載されているわけではなく、また全ての掲載商品を削除して掲載終了がなされるので、いつも新しさがあり、お得な商品、いい商品が出ていないかをこまめにチェックするように気持ちが働く。このため、アクセスが促され、ウェブサイトにとっては高いインプレッションが得られる。この結果、システムが活性化され、契約店にとっても広告効果の増大が期待できる。
【００５０】
さらに、ウェブサイトを提供するので、独自のウェブサイトを保有しない企業などでも利用することができ、特別の費用がかからない。そのうえ、同一のウェブサイトに複数の契約店が軒を並べることになるので、よい意味で契約店同士の競争が行え、より良い商品の提供等を促すことができるとともに、ユーザにとっても、よりよい商品をより安く購入できるのなどのメリットが生まれる。
【００５１】
別の手段は、上記商品宣伝システムにおけるサーバの記憶手段に、会員の識別情報と、商品取引に使用されるポイントの保有情報とを有する会員情報を記憶し、上記会員の要求に基づき前記通信手段を介して入力された掲載商品の購入決定信号を受信したときに、上記ポイントを利用した決済を行う決済手段を有する商品販売促進システムである。
【００５２】
すなわち、会員の要求に基づいて掲載商品の購入決定信号を受信したときに決済手段は、記憶手段の会員識別情報とポイントの保有情報とを読み出して決済を行う。つまり、会員は、商品の購入など適宜の条件で付与された保有するポイントを用いて商品を購入することが可能となり、インプレッションを高めることができる。一方、広告主にとっては、広告効果を高めることができ、広告主の商品の販売を促進できる。
【００５３】
ここで、この商品販売促進システムでは、次のような態様に構成することができる。
【００５４】
その態様のひとつは、上記サーバの記憶手段に、発行されたポイント識別記号に関する発行済みポイント識別情報を記憶するとともに、上記ポイント識別記号が前記会員の識別情報とともに入力されたときに、ポイント識別記号をポイントに転換し、前記会員情報におけるポイントの保有情報に登録するポイント登録手段を有した商品販売促進システムである。
【００５５】
すなわち、ポイントは、ポイント識別記号として付与された後、そのポイント識別記号が会員の識別情報とともにポイント登録手段に入力された時に、ポイントに転換されて会員情報におけるポイントの保有情報に登録される。つまり、はじめからポイントとして付与されるのではなく、ポイント識別記号という形からポイントという形に転換され、付与される。
【００５６】
このため、たとえばポイント識別記号を紙などの媒体にのせて付与したり、電子データの形で付与したりすることで、所望の流通形態を採ることができる。しかも、会員からポイントの登録手続が行われなければ、ポイント識別記号はポイント識別記号のままであってポイントにはならないので、会員を増やしシステムの拡大を図りやすい一方で、ポイントの過剰な付与を抑え、会員を選別し、意欲のある会員のみを増やすようにすることができる。
【００５７】
この結果、より質の高い状態でインプレッションを増大して、システムの活性化を図ることができる。
【００５８】
態様の他の一つは、上記発行済みポイント識別情報に、発行済みのポイント識別記号のポイント識別記号とその有効期限を記憶するとともに、ポイント識別記号が前記会員の識別情報とともに入力されたときに、その発行済みのポイント識別記号および有効期限を読み出して不正の有無を判定し、不正なき場合に前記ポイント登録手段によるポイントの登録を行わせる不正判定手段を有した商品販売促進システムである。
【００５９】
すなわち、ポイント登録手段によるポイントの登録の前段で、ポイント識別記号が会員の識別情報とともに入力された時に、不正判定手段が、発行済みのポイント識別記号とその有効期限を読み出して、入力されたポイント識別記号が発行されたものであるか、そしてそれが有効期限内のものであるかを判定する。つまり、付与されてもいないポイント記別記号が不正に入力され登録されてしまうことを防止するとともに、ポイント識別記号が付与されたのち放置されるような、その後流通しないだろうと推測されるようなポイントが登録されることを排除することができる。この結果、不正な登録を防止するとともに会員の意識を向上させることができ、活性度の高いシステムが構築できる。
【００６０】
上記識別記号は、紙片からなるカードに記載されたものであるのが好ましい。電子データでのやり取りでもよいが、紙片からなるカードであれば、何ら設備を必要としないので、零細な商店などでも簡単に導入することができるとともに、転々流通させることが容易で、システムの拡大と質の向上を図ることができる。
【００６１】
態様の他の一つは、上記サーバの記憶手段に、オークションに出品された商品、出品者、入札期間、および最低落札価格を含むオークションに必要なオークション商品情報を記憶するとともに、入札を受け付ける入札受付手段と、予め定められた条件を満たしたときにオークションを終了し、前記ポイントによる決済を行わせるオークション管理手段を有した商品販売促進システムである。
【００６２】
すなわち、入札受付手段とオークション管理手段が、会員同士にポイントを用いての取引を可能にする。この結果、会員は所望する商品をポイントで取得することができるとともに、自ら所有する物品を利用してポイントを増やすこともできる。つまり、契約店から商品を購入するだけではなく、他の会員から物品を取得したり、自らが保有する物品をポイントに変えたりすることができて、システム全体の活性化と拡大を図ることができる。
【発明の効果】
【００６３】
以上のように、この発明によれば、自らのウェブサイトにジャンプさせるバナー広告などのような従来の広告システムとは全く異なり、ウェブサイトを提供して商品の掲載を行い、所定の条件が満たされた時に掲載を停止するので、所定の費用負担だけでよい。つまり、広告に要する費用が予め決められるので、費用や手間等の点で特に小規模の企業や零細な商店に適した、優良な商品宣伝システムを提供できる。
【００６４】
また、この商品宣伝システムに特異なポイント制度を付加することで、よりインプレッションの高い商品販売促進システムが構築できる。
【発明を実施するための最良の形態】
【００６５】
この発明を実施するための一形態を、以下図面を用いて説明する。  
（実施の形態１）  
図１は、商品宣伝システム１１の概略説明図であり、この商品宣伝システム１１は、管理者ＷＷＷサーバ１２と、契約店１３と、エンドユーザ１４とで成り立つ。すなわち、管理者ＷＷＷサーバ１２は、多数の契約店１３が掲載を希望する商品・役務をそのウェブサイト１２ａに掲載し、インターネット１５を介して多数のエンドユーザ１４が見えるように公開する。つまり、広告宣伝を行う。そして、予め定められた所定の条件を満たした時に、管理者ＷＷＷサーバ１２は上記掲載を自動的に終了（オートクローズ）する。
【００６６】
このような商品宣伝システム１１の管理者ＷＷＷサーバ１２は、図２に示したように構成される。
【００６７】
すなわち、一般的なサーバ機能を有するものであって、ＣＰＵ２１と、キーボード２２、マウス２３、スキャナ２４などの入力装置と、内部記憶装置や外部記憶装置などの記憶装置２５と、モニタ２６、プリンタ２７などの表示装置と、インターネットの通信回線に接続するための通信インターフェース２８などを備えている。
【００６８】
そして、管理者ＷＷＷサーバ１２は、ＣＤ−ＲＯＭ、ＭＯ等の記憶媒体、または記憶媒体等から上記記憶装置２５にインストールして記憶した商品宣伝プログラムに従って駆動する。すなわち、ＣＰＵ２１は、上記商品宣伝プログラムに従って、記憶装置２５に対しデータの記憶や読出しなどを行う制御手段である。
【００６９】
上記記憶装置２５の記憶部２５ａは、図３に示したように、ページデータ３１と、契約店データ３２と、掲載商品データ３３と、予約データ３４を記憶している。
【００７０】
ページデータ３１は、ウェブサイトに表示される内容のデータで、契約店データ３２と掲載商品データ３３から適宜読み出して作成される。
【００７１】
契約店データ３２は、契約店１３に関する情報であり、図４（ａ）に示したように、ＩＤ、店名、住所、電話番号、業種、営業時間、定休日、ＵＲＬ、Ｅ−ｍａｉｌアドレスなど、その契約店１３を識別する情報とその契約店１３に関する基本的な情報で構成される。
【００７２】
掲載商品データ３３は、契約店１３が掲載を希望する商品・役務に関する情報であり、図４（ｂ）に示したように、その契約店１３ごとに、商品名、定価、在庫数、送料、手数料、商品説明、掲載期限など、掲載商品の基本的な情報と掲載期限に関するもので構成される。図中、ポイント使用額は、予め定められたポイントで支払える額であり、現金支払額は、現金やクレジットカードで支払わなければならない額である。上記各情報のうち所定のものは必ず入力されなければならない必須の情報とされる。
【００７３】
契約店１３からの商品掲載の申し込みは、予め定められた条件を満たした場合に管理者側が許諾するように取り決めておくとよい。つまり、たとえば、飲食店においてビール１本だけがポイントのみで購入できるといった、ユーザを引き付ける魅力に欠けると判断される場合には掲載を許諾しない、また、掲載商品の総額が一定以上分はポイントのみで購入できる商品・役務を提供して欲しい、などといように予め定めておくとよい。この場合、図示しないが、掲載条件についてのデータを記憶部２５ａに記憶しておくこともできる。
【００７４】
また、上記のように掲載を終了する条件も予め定められる。上記掲載期限が到来することのほかにも定めておく。その条件は、掲載商品の在庫数に関してのものであり、たとえば掲載商品の在庫のすべてが売り切れたときや、予め定めた一部の掲載商品が売り切れたとき、一定期間掲載しても全く売れないとき、急激に売れ始めたとき、上記例のようにポイントのみで購入できる商品・役務の場合にはそれが売り切れたときなどと適宜設定される。
【００７５】
また、商品掲載に対する対価については、掲載終了に関する条件に応じて予め定められる。
【００７６】
予約データ３４は、エンドユーザ１４から管理者側に対して掲載商品の購入予約があった時に記憶される情報であり、図５に示したように、予約者、予約先つまり契約店名、処理日、予約日時、ポイント使用額、手数料、決済等で構成される。
【００７７】
上記商品宣伝プログラムに基づいてＣＰＵ２１が行う制御動作を、フローチャートを用いて次に説明するが、その説明は、上記掲載終了条件が、たとえば１ヶ月などの所定の掲載期間が満了することと、上記例のようにポイントのみで購入できる商品（以下、ポイント１００％商品という）が売り切れることのいずれかであるとして行う。
【００７８】
契約店１３が掲載を希望する商品を登録する商品掲載処理は、図６に示したように、管理者ＷＷＷサーバ１２のキーボード２２などの入力装置から、あるいは契約店１３の端末１３ａからインターネット１５を介して掲載商品データの入力があれば（ステップｎ１１）、ＣＰＵ２１は、掲載商品データの必須の入力事項が全て入力されたかを判定する（ステップｎ１２）。そして、必須事項の入力がない場合には、ＮＧ処理をして（ステップｎ１３）再度の入力を促す一方、必須事項が入力された場合は、入力されたデータを記憶部２５ａの掲載商品データ３３に記憶し登録する（ステップｎ１４）。続いて、記憶部２５ａのページデータ３１を、掲載商品データ３３に基づいて更新する（ステップｎ１５）。これで、契約店１３が掲載を希望とする商品・役務が、多数のエンドユーザ１４の端末１４ａから自由に見られるように公開される。
【００７９】
図７は、管理者ＷＷＷサーバ１２に保管されているウェブサイトにおける「おすすめ店」ページの表示レイアウトの一例であり、「飲食店」、「ホビー＆カルチャー」、「インテリア・雑貨」などと、契約店の業種ごとに分けて掲載される。そして、クリッカブルマップでその業種ごとのページにリンクされている。図８は、「飲食店」ページの表示レイアウトの一例であり、「ラーメン＊＊＊」、「＊＊＊らーめん」、「居酒屋＊＊＊」などと、店名１３ｂとともに、その契約店１３の所在地や特徴などの簡単な情報１３ｃが表示される。このページからさらに、クリッカブルマップで契約店１３ごとのページにリンクされている。図９は、「ラーメン＊＊＊」という店名１３ｂの契約店１３が、掲載を希望している商品の表示レイアウトの一例である。
【００８０】
図９の表示レイアウトに示すように、商品名１３ｄと、その商品についての説明１３ｅと、定価１３ｆと、現金支払額１３ｇと、ポイント使用額１３ｈと、在庫数１３ｉが表示される。そして、ポイントを何パーセント使用できるかの表示１３ｉが「１００％」などと、目立つように表示されている。なお、飲食店ではなく通信販売の場合には送料や手数料などのその他の必要な情報も表示される。
【００８１】
上記のように、この例では掲載期間が満了することと、ポイント１００％商品が売り切れることが掲載終了の条件であるので、掲載期間が満了するまでの間であっては、上記表示のうち、すべてのポイント１００％商品の在庫数が「０」になると、掲載が自動的に終了される。図１０は、２種類あるポイント１００％商品の在庫数が「０」と「１」になった表示例であって、掲載終了間近の表示例である。
【００８２】
図１１は、オートクローズ処理のフローチャートである。すなわち、まず、ＣＰＵ２１は、掲載期限が経過しないうちは（ステップｎ２１）、キーボート２２や契約店１３の端末１３ａから予約成立信号が入力されると（ステップｎ２２）、記憶部２５ａにおける対応する契約店１３の掲載商品データ３３を読み出して入力された予約内容に基づいてその在庫数を減算処理する（ステップｎ２３）とともに、掲載商品データ３３の在庫数を更新処理する（ステップｎ２４）。
【００８３】
そして、すべてのポイント１００％商品の在庫数が「０」になったかを判定し（ステップｎ２５）、在庫数が「０」になった場合には、対応する契約店１３の契約店データ３２と全ての掲載商品データ３３を記憶部２５ａのページデータ３１から削除する（ステップｎ２６）。つまり、図８に示したような表示から、対応する契約店１３である「ラーメン＊＊＊」の全ての情報が消えて、図１２に示したような表示に変更される。このようなページデータ３１からの情報の削除は、上記ステップｎ２１で掲載期限が経過した場合にも行われる。
【００８４】
一方、上記ステップｎ２５でポイント１００％商品の在庫数が「０」にならなければ、ページデータを更新して（ステップｎ２７）、掲載商品の在庫数が正しく表示されるようにする。
【００８５】
このように、契約店１３の掲載商品はウェブサイトに掲載されて広告宣伝がなされるとともに、掲載期間の満了、またはポイント１００％商品の売り切れにより、対応する契約店１３の契約店データ３２と全ての掲載商品データ３３は、ページデータ３１から削除され、掲載が自動的に終了する。この結果、エンドユーザ１４の端末１４ａからはその契約店１３に関するデータの全てが見えなくなり、契約店１３にとっては広告宣伝ができない状態となる。いわば、ウェブサイト１２ａ上の店舗が閉じられる。
【００８６】
契約店１３にとっては、一方的に商品の掲載が終了されるわけであるが、期間が満了して掲載が終了した場合でも、ポイント１００％商品が売り切れて掲載が終了した場合でも、予定した一定の費用の範囲内で広告宣伝ができたと納得できる。そのうえ、その広告宣伝に想定外の費用がかからずに済む。
【００８７】
また、商品が売り切れた場合でも掲載が終了するので、広告効果を目で見える形で実感できるとともに、たとえば容易には商品の掲載が終了してしまわないようにするなど、自らに有利な宣伝を行えるよう工夫するインセンティブが得られる。さらに、たとえば在庫数を掲載商品に関する情報とともに表示するので、エンドユーザ１４の購入意欲を増進させたりする効果が得られる。
【００８８】
しかも、上記システムによる商品宣伝は、商品・役務を表に出した原則的に一回完結型であるので、必要に応じて所望の条件で活用できる。つまり、掲載終了は契約店１３のすべての掲載商品とその契約店１３の情報を削除して行われるので、契約店１３にとっては掲載終了の条件に応じて、掲載商品の選定や、価格等の販売条件の設定に工夫を凝らすことで、契約店の業種や客層等のタイプに応じて上手に宣伝することができる。もし売れ行きが良くて十分な宣伝効果が認められた場合や、新商品を発売した場合などには、その都度掲載商品を登録することで、宣伝が行える。
【００８９】
一方、エンドユーザ１４にとっては、契約店１３の商品が常に掲載されているわけではなく、また全ての掲載商品を削除して掲載終了がなされるので、いつも新しさがあり、お得な商品、いい商品が出ていないかをこまめにチェックするように気持ちが働く。このため、アクセスが促され、ウェブサイトにとっては高いインプレッションが得られる。この結果、システムが活性化され、契約店１３にとっては広告効果の増大が期待できる。
【００９０】
さらに、ウェブサイト１２ａを提供するので、独自のウェブサイトを保有しない企業などでも利用することができ、特別の費用がかからない。そのうえ、同一のウェブサイト１２ａに複数の契約店が軒を並べることになるので、よい意味で契約店１３同士の競争が行え、より良い商品の提供等を促すことができるとともに、エンドユーザ１４にとっても、よりよい商品をより安く購入できるのなどのメリットが生まれる。
【００９１】
そのうえ、ポイント１００％商品を掲載させて商品の入手に現金等が不要となるようにしたので、ユーザにお徳感、有利感を与えることができ、インプレッションをさらに高めることができて、顕著な広告効果を期待できる。
【００９２】
（実施の形態２）  
上記実施の形態１で説明した商品宣伝システム１１を発展させると、さらに有益な商品販売促進システム５１が構築できる。  
その例を、図１３〜図１９と、上記図２、図４〜図１２を用いて説明する。なお、上記実施の形態１と同一の構成ついては同一の符号を付してその詳しい説明を省略する。
【００９３】
図１３は、商品販売促進システム５１の概略説明図であり、この商品販売促進システム５１は、管理者ＷＷＷサーバ１２と、契約店１３と、カード引受者１６と、会員１７，１８と、非会員１９で成り立つ。
【００９４】
管理者ＷＷＷサーバ１２は、多数の契約店１３が掲載を希望する商品・役務をそのウェブサイト１２ａに掲載し、インターネット１５を介して多数の会員１７，１８等のエンドユーザが見えるように公開する。つまり、広告宣伝を行う。そして、予め定められた所定の条件を満たした時に、管理者ＷＷＷサーバ１２は上記掲載を終了（オートクローズ）する。
【００９５】
契約店１３は、自らが提供する商品・役務を管理者ＷＷＷサーバ１２に登録してインターネット１５を介して公開、すなわち広告宣伝してもらう。また、管理者側が発行するカード２０を必要に応じて引き受け、これを来店者（会員１７，１８や非会員１９）に適宜配布する。
【００９６】
カード引受者１６は、商品・役務は提供しないが、管理者側が発行するカード２０を引き受け、これを来店者（会員１７，１８や非会員１９）に適宜配布する。
【００９７】
上記カード２０の配布は、所定金額以上の支払いを行ったかなど、予め適宜に定められる条件を満たした場合に行われる。
【００９８】
会員１７，１８は、管理者ＷＷＷサーバ１２に登録され、配布されたカード２０に基づいて管理者ＷＷＷサーバ１２にポイントを登録させる。
【００９９】
この商品販売促進システム５１において、上記管理者ＷＷＷサーバ１２と契約店１３と会員１７，１８がショッピングシステム５１ａを構成し、上記管理者ＷＷＷサーバ１２と会員１７，１８がオークションシステムを構成する。
【０１００】
すなわち、この商品販売促進システム５１では、管理者ＷＷＷサーバ１２に登録された契約店１３の商品を、管理者側から発行され契約店１３やカード引受者１６を介して会員１７，１８や非会員１９に渡ったカードに基づくポイントを用いてのショッピングを可能とするとともに、会員１７，１８同士のポイントを用いての物品の取引（オークション）を可能とする。
【０１０１】
このような商品販売促進システム５１の管理者ＷＷＷサーバ１２は、図２に示したように構成される。この構成は、上記実施の形態１の場合と同様であるので、詳しい説明を省略する。
【０１０２】
そして、管理者ＷＷＷサーバ１２は、ＣＤ−ＲＯＭ、ＭＯ等の記憶媒体、または記憶媒体等から上記記憶装置にインストールして記憶した商品販売促進プログラムに従って駆動する。すなわち、ＣＰＵ２１は、上記商品販売促進プログラムに従って、記憶装置２５に対しデータの記憶や読出しなどの制御を行う制御手段であるとともに、ショッピングシステムやオークションシステム５１ｂでの決済を行う決済手段、会員１７，１８からの要求があった時にカード２０に基づいてポイントの登録を行うポイント登録手段、ポイントの登録に際してポイントが増えるような抽選行う抽選手段、ポイント登録に際して不正を判断する不正判断手段、オークションシステム５１ｂにおいて入札を受け付ける入札受付手段、予め定められた条件を満たした時にオークションを終了しポイントによる決済を行わせるオークション管理手段である。
【０１０３】
上記記憶装置２５の記憶部２５ａは、図１４に示したように、ページデータ３１と、契約店データ３２と、掲載商品データ３３と、予約データ３４と、発行済みカードデータ３５と、会員データ３６と、オークション商品データ３７を記憶している。
【０１０４】
上記ページデータ３１、契約店データ３２、掲載商品データ３３、予約データ３４については、上記実施の形態１の説明と同様であるので、詳しい説明を省略する（図４、図５参照）。
【０１０５】
発行済みカードデータ３５は、管理者側が発行するカード２０に関する情報であって、図１５に示したように、カードNo.、発行日、有効期限、配布先、ポイント価値、転換日、最終結果等の情報で構成される。上記カード２０は紙片に上記カードNo.が記載されたもので、上記カードNo.がカード２０を媒体して転々流通した後、管理者ＷＷＷサーバ１２に登録された時に会員のポイントに転換されるものである。従って、上記カードNo.は重複しないように個別の記号が付与される。また、流通しやすいようにしているので、ポイントを保有する意思のない者を排除するために有効期限を定めている。上記最終結果には、カードNo.がポイントに転換されたか否かが記録される。この情報は、配布先の情報とともに、システムの運営に生かすことができる。
【０１０６】
会員データ３６は、会員１７，１８に関する情報であって、図１６に示したように、ＩＤ、ニックネーム、会員No.、保有ポイント額、パスワード、電話番号、年齢等で構成される。
【０１０７】
オークション商品データ３７は、オークションに必要な情報で、商品名、出品番号、出品者、最低落札価格、入札単位、希望落札価格、開始時間、入札期間、送料負担等、周知の適宜情報で構成される。
【０１０８】
上記商品販売促進プログラムに基づいてＣＰＵ２１が行う制御動作を、フローチャートを用いて次に説明するが、その説明は、上記実施の形態１の場合と同様に、上記掲載終了条件が、たとえば１ヶ月などの所定の掲載期間が満了することと、ポイント１００％商品が売り切れることのいずれかであるとして行う。また、その説明は、図１３の矢印に付した（イ）〜（ヌ）の順に行い、上記実施の形態１で示した商品掲載処理とオートクローズ処理の動作については、簡単な説明にとどめる。
【０１０９】
契約店１３が掲載を希望する商品・役務を登録する商品掲載処理は、図６を用いて既に説明したとおりである。すなわち、図１３に示したように契約店１３からの働きかけ（イ）に基づいて、管理者ＷＷＷサーバ１２のキーボード２２などの入力装置から、あるいは契約店１３の端末１３ａからインターネット１５を介して掲載商品データの入力があれば、その掲載商品データが管理者ＷＷＷサーバ１２に登録され、多数の会員１７，１８や非会員１９から端末１７ａ，１８ａ，１９ａを通して自由に見られるように公開される。
【０１１０】
そして、掲載期間が満了したとき、あるいはポイント１００％商品の在庫数が「０」になったときに、図１１を用いて既に説明したとおり、対応する契約店１３とその掲載商品に関するすべての情報がウェブサイト１２ａから削除される（ロ）。該ウェブサイト１２ａからの削除は、ＷＷＷサーバ１２から上記情報を削除する、あるいはＷＷＷサーバ１２に上記情報を残しつつ非公開設定することで実現する。
【０１１１】
上記のような商品宣伝がなされる一方で、管理者からは、カード２０が発行され（ハ）、契約店１３やカード引受者１６を介して会員１７，１８や非会員１９にカード２０が行き渡る（ニ）。そして、カード２０を入手した会員１７，１８や非会員１９は、そのカード２０に基づいてポイント登録要求をする（ホ）。
【０１１２】
ポイント登録要求は、会員１７，１８や非会員１９の端末１７ａ，１８ａ，１９ａから、あるいは管理者ＷＷＷサーバ１２の入力装置から、会員の識別記号.とカードNo.を入力して行う。図１７がポイント付与処理のフローチャートであり、まず、会員No.等とカードNo.の入力があると（ステップｎ３１）、ＣＰＵ２１は、記憶部２５ａから発行済みカード２０のカードNo.を読み出して照会を行う（ステップｎ３２）。そして、発行済みカードNo.と同一であれば（ステップｎ３３）、続いて有効期限の照会を行う（ステップｎ３４）。そして、有効期限が到来していないと判断されれば（ステップｎ３５）、抽選処理を行って（ステップｎ３６）、ポイント額を算出し（ステップｎ３７）、会員データ３６の保有ポイント額に加算して登録する（ステップｎ３８）。一方、上記ステップｎ３３で発行済みカードNo.と一致しないと判定されると、不正があったと判断し、また、ステップｎ３５で有効期限が到来していると判断されると、積極的に利用されないであろうポイントだと判断して、ＮＧ処理をして（ステップｎ３９）ポイントを付与しない。
【０１１３】
ここで、上記抽選処理は、たとえば、１等５０００ポイント、２等１０００ポイントというように、適宜の確率でポイント額を増加させる処理のことである。
【０１１４】
ポイントを保有する会員１７は、ショッピングシステム５１ａを利用して契約店１３の商品・役務を購入する。このときには、会員１７は管理者に対して端末１７ａを利用するなどして予約要求を行う（ヘ）。この予約要求を受けて、ＣＰＵ２１は、図１８に示したように予約処理を行う。すなわち、予約要求があれば（ステップｎ４１）、記憶部２５の会員データ３６から保有ポイント額を読み出して照会するとともに（ステップｎ４２）、掲載商品データ３３から必要ポイント額を読み出して照会し（ステップｎ４３）、会員の保有するポイント額が必要なポイント額に足りるか否かを判定する（ステップｎ４４）。そして、足りると判断されれば、予約ＯＫ信号を出力して（ステップｎ４５）予約を行わせるとともに（ステップｎ４６）、記憶部２５ａの会員データ３６に対してポイントの減算処理をして保有ポイント額のデータ更新をし（ステップｎ４７）、予約が完了した信号を出力して（ステップｎ４８）、会員１７の端末１７ａや契約店１３の端末１３ａに対して必要に応じて送信する（ト、チ）。上記ステップｎ４４で保有ポイント額が必要ポイント額に満たない場合には、ＮＧ処理をして（ステップｎ４９）、予約要求を拒否する。
【０１１５】
また、ポイントを保有する会員（会員Ａ）１７は、他の会員（会員Ｂ）１８との間でオークションを行い、ポイントを使って物品の取引が行える（リ）。図１９が、オークションのページの表示レイアウト例である。物品の種類に応じてページが分けられる。
【０１１６】
決済はポイントで行われるものの、オークションシステムについては、商品、出品者、入札期間、および最低落札価格を含むオークション情報をＷＷＷサーバ１２に登録し、会員１７，１８からの入札（入札価格、入札者）を受け付け、入札期間終了時に最高入札額入力者を落札者とする周知のものであるため、詳しい説明を省略する。なお、図１３中（ヌ）は、管理者側が徴収するポイントや現金等による手数料を示す。
【０１１７】
以上のように、実施の形態１に示したような商品宣伝システム１１に対して、上記のような特異なポイント制度と、ショッピングシステム５１ａと、オークションシステム５１ｂを付加したので、よりインプレッションの高い商品販売促進システム５１が構築できる。
【０１１８】
すなわち、会員１７，１８は、商品の購入など適宜の条件で付与された保有するポイントを用いて商品を購入することが可能となり、ウェブサイトに対するインプレッションを高めることができる。一方、広告主、すなわち契約店１３にとっては、広告効果を高めることができ、契約店１３の商品の販売を促進できる。
【０１１９】
また、ポイントははじめからポイントとして付与されるのではなく、カード２０に記載されたカードNo.という形からポイントという形に転換され、付与されるので、より広く簡易に流通させることができる。しかも、会員１７，１８からポイントの登録手続が行われなければポイントにはならないので、会員１７，１８を増やしシステムの拡大を図りやすい一方で、ポイントの過剰な付与を抑え、会員を選別し、意欲のある会員１７，１８のみを増やすようにすることができる。
【０１２０】
この結果、より質の高いインプレッションの増大を図り、システムを活性化することができる。
【０１２１】
また、抽選機能を持たせたので、会員１７，１８の射幸心をあおって、さらなるインプレッションの増大を図ることができる。
【０１２２】
さらに、不正判定手段が、付与されてもいないカードNo.が不正に入力され登録されてしまうことを防止するとともに、有効期限の設定により、カードNo.が付与されたのち放置されるような、その後流通しないだろうと推測されるようなポイントが登録されることを排除することができる。この結果、不正な登録を防止するとともに会員１７，１８の意識を向上させることができ、活性度の高いシステムが構築できる。
【０１２３】
また、オークションシステム５１ｂも備えているので、会員１７，１８は所望する商品をポイントで取得することができるとともに、自ら所有する物品を利用してポイントを増やすこともできる。つまり、契約店１３から商品を購入するだけではなく、他の会員１７，１８から物品を取得したり、自らが保有する物品をポイントに変えたりすることができて、システム全体の活性化と拡大を図ることができる。
【０１２４】
上述のような効果が得られるので、契約店１３にとっては自社のホームページがなくとも宣伝による集客効果・販売促進効果を得られ、会員１７，１８にとってはポイントを利用しての商品入手が可能になるとともに、自らが所有する物品を利用してポイントの増加を行える。そして、ショッピングシステム５１ａやオークションシステム５１ｂが活性化して、非会員１９がより多く会員１７，１８に変化するとともに、意識の高い会員１７，１８が増えれば増えるほど、カード引受者１６にとっても集客効果の向上が期待できるようになる。また、カード引受者１６の存在により、契約店１３にとっては、ポイント１００％商品の提供（掲載）のみで、つまり広告費用としての現金を用いずに商品の掲載ができるようにすることも可能である。すなわち、現金を必要とせずに自らの商品のみで広告宣伝をおなうことが可能となって、広告に要する費用を極力抑えることもできるようになる。このように、全ての構成員にとって有益なシステムとなる。
【０１２５】
この発明の構成と上記一形態との対応において、  
この発明の記憶手段は、記憶装置２５に対応し、  
以下同様に、  
通信手段は、通信インターフェース２８に対応し、  
サーバは、管理者ＷＷＷサーバ１２に対応し、  
制御手段、決済手段、ポイント登録手段、不正判定手段、入札受付手段、オークション管理手段は、ＣＰＵ２１に対応し、  
契約店情報は、契約店データ３２に対応し、  
掲載商品情報は、掲載商品データ３３に対応し、  
会員情報は、会員データ３６に対応し、  
発行済みポイント識別情報は、発行済みカードデータ３５に対応し、  
オークション商品情報は、オークション商品データ３７に対応するも、  
この発明は、上記一形態の構成のみに限定されるものではなく、その他の形態な構成を採用できる。
【０１２６】
たとえば、オートクローズ処理に際して、契約店データについてはページデータから削除しないように構成するもよい。
【０１２７】
また、カード引受者に関しての店名や所在地、カード配布条件などの情報を表示するページを設けるもよい。
【０１２８】
さらに、掲載商品が、購入希望の集中が予測されるものである場合や、高価なものである場合などには、上記予約に際して、所定予約の期間受付を行った上で抽選をして予約を成立させることもできる。
【０１２９】
さらにまた、ポイント自体にも有効期限を設ければ、より一層流通の活性化を図ることができる。
【図面の簡単な説明】
【０１３０】
【図１】商品宣伝システムの概略説明図。
【図２】管理者ＷＷＷサーバの構成図。
【図３】記憶部の構成図。
【図４】契約店データおよび掲載商品データの構成図。
【図５】予約情報の構成図。
【図６】商品掲載処理のフローチャート。
【図７】おすすめ店ページの表示レイアウト。
【図８】飲食店ページの表示レイアウト。
【図９】契約店ページの表示レイアウト。
【図１０】契約店ページの表示レイアウト。
【図１１】オートクローズ処理のフローチャート。
【図１２】情報削除後の飲食店ページの表示レイアウト。
【図１３】商品販売促進システムの概略説明図。
【図１４】記憶部の構成図。
【図１５】発行済みカードデータの構成図。
【図１６】会員データの構成図。
【図１７】ポイント付与処理のフローチャート。
【図１８】予約処理のフローチャート。
【図１９】オークションページの表示レイアウト。
【符号の説明】
【０１３１】
１１…商品宣伝システム
１２…管理者ＷＷＷサーバ
１２ａ…ウェブサイト
１３…契約店
１４…エンドユーザ
１７，１８…会員
２０…カード
２１…ＣＰＵ
２５…記憶装置
２８…通信インターフェース
３２…契約店データ
３３…掲載商品データ
３５…発行済みカードデータ
３６…会員データ
３７…オークション商品データ
５１…商品販売促進システム
【図１】
2007140812.tif 000003
【図２】
2007140812.tif 000004
【図３】
2007140812.tif 000005
【図４】
2007140812.tif 000006
【図５】
2007140812.tif 000007
【図６】
2007140812.tif 000008
【図７】
2007140812.tif 000009
【図８】
2007140812.tif 000010
【図９】
2007140812.tif 000011
【図１０】
2007140812.tif 000012
【図１１】
2007140812.tif 000013
【図１２】
2007140812.tif 000014
【図１３】
2007140812.tif 000015
【図１４】
2007140812.tif 000016
【図１５】
2007140812.tif 000017
【図１６】
2007140812.tif 000018
【図１７】
2007140812.tif 000019
【図１８】
2007140812.tif 000020
【図１９】
2007140812.tif 000021